(57)【特許請求の範囲】
【請求項１】
上下両端を開口した筒形のレンズフレーム（１８）と、複数のレンズ（１９）で構成されて前記レンズフレーム（１８）の上端開口部を塞ぐレンズ集合体（２０）と、前記レンズフレーム（１８）の下端開口部に取付けられる支持板（２１）と、前記各レンズ（１９）に個別に対応して支持板（２１）の内面に取付けられる複数の太陽電池モジュール（２２）とを備え、
前記支持板（２１）が、複数の高位部（２８）および複数の低位部（２５）を有して凹凸成形された金属製のベースパネル（２３）と、ベースパネル（２３）と反対側に突出した複数の放熱フィン（３１〜３６）を備えるとともに前記低位部（２５）の下面に密接してベースパネル（２３）に結合される金属製の放熱パネル（２４）とで構成され、
各太陽電池モジュール（２２）が前記各低位部（２５）の上面に取付けられ、
ベースパネル（２３）および放熱パネル（２４）間で前記各低位部（２５）の周囲には、前記各高位部（２８）と放熱パネル（２４）との間の隙間を通り且つ外部に開放した複数の冷却通風路（２９，３０）が互いに縦横に通じて形成されることを特徴とする集光型太陽光発電装置。
【請求項２】
前記放熱パネル（２４）の一部を下方に折り曲げて前記放熱フィン（３２〜３６）が形成され、それらの放熱フィン（３２〜３６）の形成により放熱パネル（２４）にはベースパネル（２３）を下方に臨ませる開口部（３７〜４１）が形成されることを特徴とする、請求項１記載の集光型太陽光発電装置。
【請求項３】
前記ベースパネル（２３）および放熱パネル（２４）が、アルミニウム合金により形成されることを特徴とする、請求項１又は２に記載の集光型太陽光発電装置。
【発明の詳細な説明】
【０００１】
【発明の属する技術分野】
本発明は、太陽光を複数の太陽電池モジュールに集光せしめ、光電変換により電力を得る集光型太陽光発電装置に関する。
【０００２】
【従来の技術】
化石燃料の使用による環境問題およびエネルギー枯渇問題等の見地から、太陽エネルギーからクリーンな電力を直接取り出して住宅等に供給するようにした小規模太陽光発電装置が、たとえば特開平９−８３００３号公報等により既に知られている。
【０００３】
【発明が解決しようとする課題】
ところで、太陽電池を用いる太陽光発電装置では、温度上昇によって発電効率が低下するという問題があり、上記従来のものでは、太陽電池パネルが取り付けられる支持板に、冷却フィンが設けられるとともに、冷却通風路が形成されている。
【０００４】
上述のような太陽電池パネルを用いた平面型の太陽電池発電装置では、装置の高さが比較的低く、しかも重量も比較的小さいので、支持板の構成の自由度が大きく、冷却フィンや冷却通風路を容易に形成することができる。ところが、太陽光をレンズによって太陽電池モジュールに集光させるようにした集光型太陽光発電装置、特に複数のレンズおよび複数の太陽電池モジュールを組み合わせてユニット化した集光型太陽光発電装置では、装置の高さが高くなるとともに重量も大となり、しかも複数のレンズにそれぞれ対応した太陽電池モジュールの位置を正確に維持する必要があるので、複数の太陽電池モジュールを取付ける支持板の強度、剛性を大とする必要がある。また太陽電池モジュールによる発熱が局部的に集中することになるので、支持板に充分な放熱対策を施しておく必要がある。
【０００５】
このような問題を解決するためには、支持板の厚みを大とすればよいが、支持板の重量増大を招くことになり、太陽光追尾を行なうようにしたときには、その駆動装置にも相当の負担を強いることになる。
【０００６】
本発明は、かかる事情に鑑みてなされたものであり、複数のレンズおよび複数の太陽電池モジュールを用いた集光型太陽光発電装置において、各太陽電池モジュールが取付けられる支持板を、重量増大を招くことなく充分な強度、剛性が得られるとともに充分な放熱性を得ることができるようにして、簡単に構成し得るようにすることを目的とする。
【０００７】
【課題を解決するための手段】
上記目的を達成するために、請求項１記載の発明は、上下両端を開口した筒形のレンズフレームと、複数のレンズで構成されて前記レンズフレームの上端開口部を塞ぐレンズ集合体と、前記レンズフレームの下端開口部に取付けられる支持板と、前記各レンズに個別に対応して支持板の内面に取付けられる複数の太陽電池モジュールとを備え、前記支持板が、複数の高位部および複数の低位部を有して凹凸成形された金属製のベースパネルと、ベースパネルと反対側に突出した複数の放熱フィンを備えるとともに前記低位部の下面に密接してベースパネルに結合される金属製の放熱パネルとで構成され、各太陽電池モジュールが前記各低位部の上面に取付けられ、ベースパネルおよび放熱パネル間で前記各低位部の周囲には、前記各高位部と放熱パネルとの間の隙間を通り且つ外部に開放した複数の冷却通風路が互いに縦横に通じて形成されることを特徴とする。
【０００８】
このような構成によれば、支持板が、複数の高位部および複数の低位部を有して凹凸成形された金属製のベースパネルと、該ベースパネルに結合される金属製の放熱パネルとで構成されるので、重量増大を回避しつつ支持板の強度および剛性増大を図ることができる。しかも各太陽電池モジュールは、放熱パネルに密接した部分でベースパネルに取り付けられるので、太陽電池モジュールで生じた熱をベースパネルから放熱パネルに良好に伝達せしめ、放熱パネルが備える放熱フィンから効果的に放熱することができる。しかもベースパネル及び放熱パネル間には、太陽電池モジュールが取付けられる低位部の周囲で、各高位部と放熱パネルとの間の隙間を通り且つ外部に開放した複数の冷却通風路が互いに縦横に通じて形成されているので、風向きにかかわらず、冷却通風路のいずれかを外部からの空気が流通するようにして、支持板からの放熱性をより一層向上することができる。
【０００９】
また請求項２記載の発明は、上記請求項１記載の発明の構成に加えて、前記放熱パネルの一部を下方に折り曲げて前記放熱フィンが形成され、それらの放熱フィンの形成により放熱パネルにはベースパネルを下方に臨ませる開口部が形成されることを特徴とし、かかる構成によれば、放熱パネルすなわち支持板の重量増大を回避して効果的に放熱フィンを形成することができ、しかも開口部が形成される部分でベースパネルが下方に剥き出しに配置されることにより、放熱性がさらに高められる。
【００１０】
請求項３記載の発明は、上記請求項１または２記載の発明の構成に加えて、前記ベースパネルおよび放熱フィンが、アルミニウム合金により形成されることを特徴とし、かかる構成によれば、支持板をより一層軽量化することができる。
【００１１】
【発明の実施の形態】
以下、本発明の実施形態を、添付図面に示した本発明の一実施例に基づいて説明する。  図１ないし図１３は本発明の一実施例を示すものであり、図１は集光型太陽光発電装置の正面図、図２は図１の２矢視側面図、図３は太陽光発電ユニットの一部切欠き正面図、図４は図３の４矢視側面図、図５は図３の５−５線断面図、図６は図３の６−６線断面図、図７は放熱パネルの背面図、図８は太陽電池モジュールの構成を示す縦断側面図、図９は図１の９矢視部拡大図、図１０は図９の１０−１０線断面図、図１１は図１０の１１−１１線断面図、図１２は図９の１２−１２線に沿って示すギヤケースの縦断面図、図１３は図１２の１３−１３線断面図である。
【００１２】
先ず図１および図２において、この集光型太陽光発電装置は、上下に延びる固定の支柱１５と、鉛直軸線まわりの回動ならびに水平軸線まわりの回動を可能として前記支柱１５の上端に支持されるユニット支持枠１６と、該ユニット支持枠１６に取付けられる複数の太陽光発電ユニット１７…とを備える。
【００１３】
各太陽光発電ユニット１７…は、第１ないし第５列Ａ１〜Ａ５が相互に横方向に隣接するように並列されてユニット支持枠１６に取付けられるものであり、第１、第２、第４および第５列Ａ１，Ａ２，Ａ４，Ａ５は、各太陽光発電ユニット１７…がたとえば３個ずつ並んで構成され、第３列Ａ３ではその列の中央部をあけるようにしてたとえば２個の太陽光発電ユニット１７…が配列される。しかも第１、第３および第５列Ａ１，Ａ３，Ａ５と、第２および第４列Ａ２，Ａ４との間に段差がそれぞれ生じるようにして各太陽光発電ユニット１７…がユニット支持枠１６に取付けられる。
【００１４】
図３および図４において、太陽光発電ユニット１７は、上下両端を開口した筒形のレンズフレーム１８と、複数のフレネルレンズ１９…で構成されて前記レンズフレーム１８の上端開口部を塞ぐレンズ集合体２０と、前記レンズフレーム１８の下端にその下端開口部を塞ぐように取付けられる支持板２１と、前記各フレネルレンズ１９…に個別に対応して支持板２１の内面に取付けられる複数の太陽電池モジュール２２とを備える。
【００１５】
レンズフレーム１８は、上方から下方に向うにつれて徐々に小さくなるようにして横断面矩形の四角錐台状に形成されており、平面状に形成されたレンズ集合体２０がレンズフレーム１８の上端に取付けられる。
【００１６】
図５および図６を併せて参照して、支持板２１は、アルミニウム合金製のベースパネル２３の下面に、アルミニウム合金製の放熱パネル２４が溶接等により結合されて成るものである。
【００１７】
ベースパネル２３は、レンズフレーム１８の下端に締結されるフランジ部２３ａを上端に一体に有した筒部２３ｂの下端に底板部２３ｃが一体に連設されて成る矩形の皿状に形成されるものであり、底板部２３ｃは、複数のフレネルレンズ１９…に個別に対応した複数の低位部２５…と、複数の第１中位部２６…と、複数の第２中位部２７…と、複数の高位部２８…とを有して凹凸成形される。
【００１８】
而して本実施例のように、レンズ集合体２０が１２個のフレネルレンズ１９…で構成されるものであるときには、図３の左右方向中央部で上下に間隔をあけた４箇所と、図３の左右両側で上下に間隔をあけた４箇所との合計１２箇所に低位部２５…が配置され、図３の左右両側から低位部２５，２５で挟まれる８箇所に第１中位部２６…が配置され、図３の上下両側から低位部２５，２５で挟まれる９箇所に第２中位部２７…が配置され、図３の上下両側から第１中位部２６，２６で挟まれるとともに図３の左右両側から第２中位部２７，２７で挟まれる６箇所に高位部２８…が配置される。
【００１９】
各低位部２５…は、各高位部２８…よりも下方に突出して形成されるものであり、第１および第２中位部２６…，２７…は、上下方向において各低位部２５…および各高位部２８…間で同一レベルとなるように形成される。しかも各低位部２５…、各第１中位部２６…、各第２中位部２７…および各高位部２８…相互間は傾斜面を形成するようにして連結される。
【００２０】
さらに第１中位部２６…のうち図３の上下両端位置に配置される第１中位部２６…、ならびに第２中位部２７…のうち図３の左右両端位置にある第２中位部２７…は、筒部２３ｂの外側面に連設される。
【００２１】
放熱パネル２４は、前記各低位部２５…の下面に密接するようにして、ベースパネル２３の下面に結合されるものであり、ベースパネル２３および放熱パネル２４間には、各低位部２５…の周囲において、ベースパネル２３の第２中位部２７…および高位部２８…に対応する部分で左右方向に延びるとともに両端を外部に開放した３つの第１冷却通風路２９…と、ベースパネル２３の第１中位部２６…および高位部２８…に対応する部分で上下方向に延びるとともに両端を外部に開放した２つの第２冷却通風路３０，３０とが、縦横に通じるようにして形成される。
【００２２】
しかも放熱パネル２４には、ベースパネル２３と反対側に突出した一対の第１放熱フィン３１，３１、１６個の第２放熱フィン３２…、２４個の第３放熱フィン３３…、４個の第４放熱フィン３４…、２個の第５放熱フィン３５，３５および２個の第６放熱フィン３６，３６が一体に設けられる。
【００２３】
第１放熱フィン３１，３１は、図７において放熱パネル２４の左右両側縁をベースパネル２３と反対側に折り曲げることにより形成される。また１６個の第２放熱フィン３２…は、２つの第２冷却通風路３０，３０に対応する部分で相互に間隔をあけた４箇所で図７の左右にそれぞれ対をなすようにして放熱パネル２４の一部を第１放熱フイン３１，３１と同一長さを有するように折曲げて形成されるものであり、相互に対をなす第２放熱フィン３２，３２間には第２冷却通風路３０…に通じる四角形状の第１開口部３７…がそれぞれ形成される。２４個の第３放熱フィン３３…は、ベースパネル２３における１２個の低位部２５…に対応する１２箇所で図７の左右にそれぞれ対をなすようにして放熱パネル２４の一部を第１および第２放熱フイン３１，３２よりも短い長さを有するように折曲げて形成されるものであり、相互に対をなす第３放熱フィン３３，３３間には上下に長い矩形状の第２開口部３８…がそれぞれ形成される。４個の第４放熱フィン３４…は、３つの第１冷却通風路２９…のうち中央部の第１冷却通風路２９に対応する部分の左右に間隔をあけた２箇所で図７の上下にそれぞれ対をなすようにして放熱パネル２４の一部を第３放熱フイン３３と同一長さを有するように折曲げて形成されるものであり、相互に対をなす第４放熱フィン３４，３４間には左右に長い矩形状の第３開口部３９…がそれぞれ形成される。２個の第５放熱フィン３５，３５は、３つの第１冷却通風路２９…のうち上方の第１冷却通風路２９に対応する部分の左右に間隔をあけた２箇所で放熱パネル２４の一部を第３放熱フィン３３と同一長さを有するように折り曲げて形成されるものであり、第５放熱フィン３５，３５の図７における上方には左右に長い矩形状の第４開口部４０，４０がそれぞれ形成される。さらに２個の第６放熱フィン３６，３６は、３つの第１冷却通風路２９…のうち下方の第１冷却通風路２９に対応する部分の左右に間隔をあけた２箇所で放熱パネル２４の一部を第３放熱フィン３３と同一長さを有するように折り曲げて形成されるものであり、第６放熱フィン３６，３６の図７における下方には左右に長い矩形状の第５開口部４１，４１がそれぞれ形成される。
【００２４】
各太陽電池モジュール２２は、支持板２１のベースパネル２３における前記各低位部２５…の上面に取付けられる。
【００２５】
図８において、太陽電池モジュール２２は、低位部２５の上面に締結されるヒートスプレッター４４と、ヒートスプレッター４４上に貼着される基板４５と、該基板４５上に固定的に接合される太陽電池セル４６と、該太陽電池セル４６上に貼着される光導体４７とを備える。
【００２６】
ヒートスプレッター４４は、アルミニウム合金等の金属により矩形の平板状に形成されるものであり、低位部２５の上面に複数のねじ部材４８…により締結される。しかもヒートスプレッター４４の上面中央部には、基板４５に対応した凹部４４ａが設けられる。
【００２７】
凹部４４ａ内に嵌合、接着される基板４５上には太陽電池セル４６が接着等により接合される。光導体４７は、下方に向うにつれて小径となるようにして光学レンズ体により円錐台状に形成されるものであり、該光導体４７の上端面は、太陽電池セル４６への光導体４７の貼着時に、フレネルレンズ１９の焦点近傍に配置される。また太陽電池セル４６の外側方で基板４５上に形成されている電極にプラス側およびマイナス側の出力取出し用端子４９，５０がそれぞれ接続される。
【００２８】
而して各太陽電池モジュール２２は、前記各出力取りだし用端子４９，５０に接続される導線５１…により直列に接続される。
【００２９】
図９ないし図１１において、ユニット支持枠１６に取付けられた各太陽光発電ユニット１７…が構成する第１〜第５列Ａ１〜Ａ５のうち第３列Ａ３の中央部で、水平軸線まわりの回動を可能としてユニット支持枠１６がギヤケース５２に取付けられており、該ギヤケース５２は、支柱１５の上端で鉛直軸線まわりに回動可能に支持される。
【００３０】
ギヤケース５２は、上部ケース半体５３および下部ケース半体５４が複数のボルト５５…により相互に締結されて成るものであり、ギヤケース５２の上面すなわち上部ケース半体５３の上面には複数のボルト５６…により取付け板５７が締結される。
【００３１】
取付け板５７の一端側（図９の下端側）には、左右に間隔をあけて一対の支持突部５７ａ，５７ａが一体に設けられており、ユニット支持枠１６に固着されている左右一対のブラケット５８，５８に、前記両支持突部５７ａ，５７ａが一対の水平軸５９，５９を介してそれぞれ支承される。
【００３２】
ユニット支持枠１６は、シリンダ体６０ならびに該シリンダ体６０から突出するロッド６１を備えるアクチュエータ６２の直線的な往復作動により、前記水平軸５９，５９の軸線まわりに、すなわち水平軸線まわりに駆動されるものであり、前記シリンダ体６０は取付け板５７に水平なトラニオン軸６３を介して連結される。すなわち取付け板５７の他端側（図９の上端側）には、ギヤケース５２から突出するようにして取付けステー５７ｂが一体に設けられており、シリンダ体６０が取付けステー５７ｂにトラニオン軸６３を介して連結される。またロッド６１の先端は、ユニット支持枠１６に設けられている連結部６４に水平な連結軸６５を介して連結される。
【００３３】
図１２および図１３において、ギヤケース５２内には、支柱１５と同軸である鉛直軸線を有する支軸６８の上部が突入されており、該支軸６８の上部とギヤケース５２の上部すなわち上部ケース半体５３との間には複列アンギュラ軸受６９が介設され、またギヤケース５２の下部すなわち下部ケース半体５４と支軸６８の間にはボール軸受７０が介設される。したがってギヤケース５２は支軸６８により、該支軸６８の軸線まわりに回動可能に支承されることになる。
【００３４】
ギヤケース５２内において、複列アンギュラ軸受６９に上端を当接させた円筒状のスペーサ７１が支軸６８に装着されており、該スペーサ７１およびボール軸受７０間に挟まれるようにして固定ギヤ７２が支軸６８にスプライン結合される。
【００３５】
一方、ギヤケース５２内における支軸６８の側方で上部ケース半体５３には、支持部材７３が締結されており、該支持部材７３には、モータ７４が取付けられる。而して該モータ７４および前記固定ギヤ７２間には、減速ギヤ列７５が設けられる。
【００３６】
該減速ギヤ列７５は、モータ７４の出力軸に設けられる出力ギヤ７６と、該出力ギヤ７６に噛合する第１中間ギヤ７７と、第１中間ギヤ７７と一体に回転するウォーム７８と、該ウォーム７８に噛合するウォームホイル７９と、ウォームホイル７９と一体に回転する第２中間ギヤ８０と、第２中間ギヤ８０に噛合する第３中間ギヤ８１と、第３中間ギヤ８１と一体に回転して固定ギヤ７２に噛合する最終ギヤ８２とで構成される。
【００３７】
第１中間ギヤ７７およびウォーム７８は支持部材７３で回転自在に支承される体１回転軸８３に設けられており、ウォームホイル７９および第２中間ギヤ８０は、上部ケース半体５３および支持部材７３との間にボール軸受８４，８５がそれぞれ介装される第２回転軸８６に一体に設けられ、第３中間ギヤ８１および最終ギヤ８２は、支持部材７３および下部ケース半体５４との間にボール軸受８７，８８がそれぞれ介装される第３回転軸８９に一体に設けられる。
【００３８】
而してモータ７４の作動に応じて減速されて回転する最終ギヤ８２が、固定ギヤ７２に噛合して自転しつつ支軸６８のまわりに公転することになり、これによりギヤケース５２すなわち複数の太陽光発電ユニット１７…が支持されているユニット支持枠１６が支軸６８のまわりに回動することになる。
【００３９】
前記ボール軸受７０よりも下方で支軸６８と、ギヤケース５２の下部すなわち下部ケース半体５４との間には、ギヤケース５２内からのグリスの流出を防止するオイルシール９０が介装される。
【００４０】
また支軸６８の下部には、ギヤケース５２の下面に対向するフランジ６８ａが前記支軸６８から半径方向に外方に張出して一体に設けられており、支柱１５の上端に該フランジ６８ａが複数のボルト９１により締結される。一方、ギヤケース５２における下部ケース半体５４には、前記フランジ６８ａの外周縁を囲繞するスカート部９２が下方に延びて一体に設けられる。
【００４１】
次にこの実施例の作用について説明すると、各太陽光発電ユニット１７…において、太陽電池モジュール２２…を支持する支持板２１は、ベースパネル２３と、該ベースパネル２３に結合される放熱パネル２４とで構成されるものであり、複数の太陽電池モジュール２２…をその位置を正確に維持しつつ支持するのに充分な強度、剛性を、重量増大を回避しつつ支持板２１に持たせることが可能となる。しかもベースパネル２３および放熱パネル２４がアルミニウム合金から成るものであることにより、支持板２１の重量をより一層軽減することができる。
【００４２】
また各太陽電池モジュール２２…は、放熱パネル２４に密接した部分でベースパネル２３に取り付けられるので、太陽電池モジュール２２…で生じた熱をベースパネル２３から放熱パネル２４に良好に伝達せしめ、放熱パネル２４が備える放熱フィン３１〜３６から効果的に放熱することができる。
【００４３】
しかも太陽電池モジュール２２…が取付けられる低位部２５…の周囲で、ベースパネル２３および放熱パネル２４間に第１および第２冷却通風路２９…，３０…が形成されているので、放熱性をより一層向上することができ、  請求項３記載の発明は、上記請求項１または２記載の発明の構成に加えて、第１および第２冷却通風路２９…，３０…が縦横に通じるように形成されているので、風向きにかかわらず、第１および第２冷却通風路２９…，３０…のいずれかを外部からの空気が流通するようにして、支持板２１からの放熱性をさらに向上することができる。
【００４４】
さらに放熱パネル２４が備える第１ないし第６放熱フィン３１〜３６のうち、第２ないし第６放熱フィン３２〜３６は、放熱パネル２４の一部を下方に折り曲げて形成されるものであり、それらの放熱フィン３２〜３６の形成により放熱パネル２４にはベースパネル２３を下方に臨ませる開口部３７〜４１が形成される。したがって放熱パネル２４すなわち支持板２１の重量増大を回避して効果的に放熱フィン３２〜３６を形成することができ、しかも開口部３７〜４１が形成される部分でベースパネル２３が下方に剥き出しに配置されることにより、放熱性がさらに高められる。
【００４５】
ところで、複数の太陽光発電ユニット１７…が支持されているユニット支持枠１６は、太陽が東から西に動くのに追随して鉛直軸線まわりに回動されるとともに、太陽の高さに応じて水平軸線まわりに回動されるのであるが、ユニット支持枠１６を鉛直軸線まわりに回動するにあたって、支柱１５の上端に締結される支軸６８にギヤケース５２が鉛直軸線まわりに回動可能に支承され、該ギヤケース５２に鉛直軸線を有してギヤケース５２内に上部が突入される支軸６８と、ギヤケース５２との間に複列アンギュラ軸受６９およびボール軸受７０が介設され、ギヤケース５２内には、支軸６８に固定される固定ギヤ８２と、ギヤケース５２に締結された支持部材７３に取付けられているモータ７４との間に設けられる減速ギヤ列７５が収納されている。
【００４６】
したがって複数の太陽光発電ユニット１７…、ユニット支持枠１６、モータ７４、ならびに減速ギヤ列７５を収納せしめたギヤケース５２が、鉛直軸線まわりの回動を可能として支軸６８で支承されることになり、支柱１５自体が回動するようにしたものと比べると、可動部の重量を軽減することができる。し                                        たがってモータ７４の出力も比較的小さくてすみ、モータ７４の小型化を図ることが可能となる。
【００４７】
また支軸６８の下部には、ギヤケース５２の下面に対向するフランジ６８ａが半径方向に外方に張出して一体に設けられ、ギヤケース５２には、該フランジ６８ａの外周縁を囲繞するスカート部９２が下方に延びて一体に設けられ、ボール軸受７０よりも下方で支軸６８およびギヤケース５２間に、ギヤケース５２内からのグリスの流出を防止するオイルシール９０が介装されている。
【００４８】
したがって長期間にわたってギヤケース５２内でグリス切れが生じることを防止して減速ギヤ列７５、複列アンギュラ軸受６９およびボール軸受７０の円滑かつ安定的な作動を保証することができる。しかもフランジ６８ａの外縁を囲繞するスカート部９２がギヤケース５２に設けられているので、オイルシール９０を、砂塵、雨水および紫外線等から保護することができ、スカート部９２内に雨水が万一侵入したとしても、スカート部９２およびフランジ６８ａ間の間隙から外部に排出することができる。
【００４９】
さらにフランジ６８ａが支柱１５の上端に締結されるものであることにより、ギヤケース５２に組み付けられた状態にある支軸６８を支柱１５に締結すればよいので、組付作業が容易となる。
【００５０】
以上、本発明の実施例を詳述したが、本発明は上記実施例に限定されるものではなく、特許請求の範囲に記載された本発明を逸脱することなく種々の設計変更を行なうことが可能である。
【００５１】
【発明の効果】
以上のように請求項１記載の発明によれば、支持板が、複数の高位部および複数の低位部を有して凹凸成形された金属製のベースパネルと、該ベースパネルに結合される金属製の放熱パネルとで構成されることにより、重量増大を回避しつつ支持板の強度および剛性増大を図ることができ、太陽電池モジュールが放熱パネルに密接した部分（低位部）でベースパネルに取り付けられることにより、太陽電池モジュールで生じた熱をベースパネルから放熱パネルに良好に伝達せしめ、放熱パネルが備える放熱フィンから効果的に放熱することができる。しかもベースパネルおよび放熱パネル間には、太陽電池モジュールが取付けられる低位部の周囲で、各高位部と放熱パネルとの間の隙間を通り且つ外部に開放した複数の冷却通風路が互いに縦横に通じて形成されているので、風向きにかかわらず、冷却通風路のいずれかを外部からの空気が流通するようにして、支持板からの放熱性をより一層向上することができる。
【００５２】
また請求項２記載の発明によれば、放熱パネルすなわち支持板の重量増大を回避して効果的に放熱フィンを形成することができ、しかも開口部が形成される部分でベースパネルが下方に剥き出しに配置されるようにして放熱性をさらに高めることができる。
【００５３】
請求項３記載の発明によれば、支持板をより一層軽量化することができる。
【図面の簡単な説明】
【図１】  集光型太陽光発電装置の正面図である。
【図２】  図１の２矢視側面図である。
【図３】  太陽光発電ユニットの一部切欠き正面図である。
【図４】  図３の４矢視側面図である。
【図５】  図３の５−５線断面図である。
【図６】  図３の６−６線断面図である。
【図７】  放熱パネルの背面図である。
【図８】  太陽電池モジュールの構成を示す縦断側面図である。
【図９】  図１の９矢視部拡大図である。
【図１０】  図９の１０−１０線断面図である。
【図１１】  図１０の１１−１１線断面図である。
【図１２】  図９の１２−１２線に沿って示すギヤケースの縦断面図である。
【図１３】  図１２の１３−１３線断面図である。
【符号の説明】
１８・・・レンズフレーム
１９・・・レンズ
２０・・・レンズ集合体
２１・・・支持板
２２・・・太陽電池モジュール
２３・・・ベースパネル
２４・・・放熱パネル
２５・・・低位部
２８・・・高位部
２９，３０・・・冷却風通路
３７〜４１・・・開口部
【図１】
0003685921.tif 000002
【図２】
0003685921.tif 000003
【図３】
0003685921.tif 000004
【図４】
0003685921.tif 000005
【図５】
0003685921.tif 000006
【図６】
0003685921.tif 000007
【図７】
0003685921.tif 000008
【図８】
0003685921.tif 000009
【図９】
0003685921.tif 000010
【図１０】
0003685921.tif 000011
【図１１】
0003685921.tif 000012
【図１２】
0003685921.tif 000013
【図１３】
0003685921.tif 000014